(57)【要約】【課題】従来、建築鉄骨柱梁接合部は鋼管柱を建物階毎に切断して、サイコロ製作の小組立、サイコロにＨ形鋼梁取付の中組立、更に鋼管柱取付の大組立の工程を経て製作しているが、複雑で工数が掛かり、その上ダイアフラムが柱から張り出して、ダイアフラム外周部が傘折れ現象・熱歪み脆化・壁じまいの悪さ等により目違い・脆化・内部空間の縮小等を起こして、問題になっている。【解決手段】本発明では、鋼管柱を柱梁接合部ごとに切断することなく、Ｈ形鋼フランジ又は内ダイアフラムと鋼管柱を溝溶接し、更に、Ｈ形鋼梁を、溝溶接部を含めて多層盛りの一つの溶接部で溶接接合することによりこれらの問題を解決した。【選択図】      図３２
2007002658.tif 000002
【特許請求の範囲】
【請求項１】
建築鉄骨構造物において、
鋼管柱の梁フランジ取付位置に、該鋼管柱の全周に亘る貫通長孔を、機械的又は熱的溶断により開けて、
該貫通長孔位置の鋼管柱内部にＨ形鋼の一部又は全部を設置して、
該鋼管柱貫通長孔と、該鋼管柱内Ｈ形鋼のフランジ端面、又は該フランジに加えて該Ｈ形鋼ウエブ端面又はスティフナー端面を、該鋼管柱の外面から該貫通長孔で溝溶接を行い、
しかる後、該溝溶接部を含めた鋼管柱とＨ形鋼梁とを溶接接合し鉄骨構造物を製作する方法
【請求項２】
建築鉄骨構造物において、
鋼管柱の梁フランジ取付位置に、該鋼管柱の全周に亘る貫通長孔を、機械的又は熱的溶断により開けて、
該貫通長孔位置に単数又は複数の内ダイアフラムの一部又は全部を鋼管柱内部に設置して、
該鋼管柱貫通長孔位置と該内ダイアフラム端面とを、該鋼管柱の外面から溝溶接を行い、
しかる後、該溝溶接部を含めた鋼管柱とＨ形鋼梁とを溶接接合し鉄骨構造物を製作する方法
【請求項３】
建築鉄骨構造物において、
鋼管柱の梁フランジ取付位置に、該梁フランジの端部でフランジ幅より長く且つ該梁フランジ厚さより幅広にした貫通長孔を、その両端部においてその中央部の溝幅以上の径の錐孔を開けたのち、該錐孔間を溶断又は鋸切断することにより開けて、
該鋼管柱内部の該位置にＨ形鋼を挿入・設置して、
該Ｈ形鋼フランジの該フランジ、又は、該フランジに加えて該Ｈ形鋼ウエブ又はスティフナーと、該鋼管柱とを、該鋼管柱の外面から溝溶接を行い、
しかる後、該溝溶接部を含めた該鋼管柱とＨ形鋼梁とを溶接接合し鉄骨構造物を製作する方法
【請求項４】
請求項１又は２に係る発明において、梁方向及び梁フランジの高さの異なる複数の取付位置に設ける高さの異なる複数の貫通長孔に対して、１個のＨ形鋼又は１組のダイアフラムを鋼管柱内に設置して、該１個のＨ形鋼の１枚のフランジ又は１枚のダイアフラムに対し複数の全周貫通長孔を設けて鉄骨構造物を製作する方法
【請求項５】
請求項３に係る発明において、梁方向及び梁フランジの高さの異なる複数の取付位置に設ける高さの異なる複数の貫通長孔に対して、一個のＨ形鋼を鋼管柱内に設置して該一個のＨ形鋼の一枚のフランジに対し４つ以下の貫通長孔を設けて鉄骨構造物を製作する方法
【請求項６】
請求項１から５に記載の発明において、溝溶接を行う場合又はＨ形鋼梁を溝溶接部に突合せ溶接する場合に、該内ダイアフラム接合端部両面、該Ｈ形鋼フランジ端部両面、又は該Ｈ形鋼梁フランジの接合端部裏面又は側面に、それぞれ開先側溶接施工前に予め肉盛溶接をして鉄骨構造物を製作する方法
【請求項７】
建築鉄骨構造物において、向かい合わせた２本のＨ形鋼端面に単数又は複数のダイアフラムを挟み、該２本のＨ形鋼端面とダイアフラム端面との間で溝溶接して２本のＨ形鋼を溶接接合することを特徴とする方法
【請求項８】
建築鉄骨構造物において、
鋼管柱の梁フランジ取付位置に、該梁フランジの端部でフランジ幅より長く且つ該梁フランジ厚さより幅広にした貫通長孔を、その両端部においてその中央部における幅以上の径の錐孔を開けたのち、該錐孔間を溶断又は鋸切断することにより開けて、
該鋼管柱の該貫通長孔位置の内部に圧延又は溶接組み立てのＨ形鋼を挿入・設置して、
該Ｈ形鋼フランジの該フランジ端部、又は、該フランジ端部に加えて該Ｈ形鋼ウエブ端部又はスティフナー端部と、該鋼管柱貫通長孔とを、該鋼管柱の外面から溝溶接を行い、
しかる後、該溝溶接部を含めた該鋼管柱とＨ形鋼梁とを裏当金なしの突合せ溶接接合し、鉄骨構造物を製作する方法
【発明の詳細な説明】
【技術分野】
【０００１】
本発明は、建築鉄骨構造物の柱梁接合部において、梁と内ダイアフラムを溝溶接で直結する方法に関するものである。
【背景技術】
【０００２】
従来の技術では、建築鉄骨構造物の柱梁接合部は、接合部は図１に示すように、薄鋼板によるダイアフラム１と短い鋼管２との間で溶接６を施すことによりサイコロを形成させ、このサイコロとＨ形鋼梁フランジ４を溶接接合７し、更に、該サイコロと鋼管柱５とを溶接接合して構成する事が多い。この従来の技術では、図２に示すように、サイコロの鋼管２とダイアフラム１との溶接６及びサイコロのダイアフラム１とＨ形鋼フランジ４の溶接７は裏当金１０を用いて片側溶接で実施されている。このダイアフラム１と梁フランジ４との従来溶接方法では、フランジ４の接合予定端部の開先加工をしてから、裏当金１０の製作及び裏当金取付の仮付溶接８を行い、本溶接７を実施している。また、ダイアフラム１と鋼管２又は５との溶接も鋼管２又は５の接合予定端部の開先加工をしてから、裏当金１０の製作及び裏当金取付の仮付溶接８を行いダイアフラム１と鋼管２又は５との本溶接６を実施している。
【０００３】
更に、特願２０００−２０２５８２において、図３の一例に示すように、溶接継手部材１３端部の裏面に非消耗式銅当金１２をあてがい肉盛溶接１４を行った後、開先加工を１３Ｃの位置で肉盛部１４を含めて実施して、図５のように部材１３と肉盛部１４を含めた開先１５を得て、図６に示すように、消耗式の裏当金や裏当材を用いず、部材１６と１３を片側から溶接施工する片側溶接方法で継手溶接１７をし、溶接継手部材端部の部材の板厚１８を超えるのど厚１９を獲得する技術の方法がある。
【０００４】
また、特願２００２−０６１３２６において、図４の一例に示すように、溶接継手部材１３端部の裏面に板厚３ｍｍ程度の薄鋼板２８をあてがい、肉盛溶接１４を行った後、開先加工を１３Ｃの位置で部材１３の端部のみを開先加工を行い、図５のように部材１３と肉盛部１４を含めた開先１５を得て、図６に示すように、消耗式の裏当金や裏当材を用いず、部材１６と１３を片側から溶接施工する片側溶接方法で継手溶接１７をし、溶接継手部材端部の部材の板厚１８を超えるのど厚１９を獲得する技術の方法がある。
【０００５】
また、図７に示すように、鋼管柱５の内面側にＨ形鋼梁フランジと同じ高さの位置に４内ダイアフラムを取り付ける方法が用いられることがある。
【０００６】
また、特願平０６−３３１３０３にあるように、鋼管柱にボルト貫通長孔をあけてＨ鋼構造仕口部内部に内ダイアフラムを取付けこの内ダイアフラムにめねじを加工し，このめねじに、梁端部に取り付けたエンドプレートのボルト孔を通して高力ボルトを入れてエンドプレート側でナットを締めて梁を固定接合することを特徴とする内ダイアフラムと梁の接合を行う方法が開示されている。
【０００７】
また、特願平２０００−３４１２９３において、図８に示すように、内ダイアフラム１Ａの端面を鋼管側面に開けた細長い四辺形のスロットに対向して配置し、鋼管側面と内ダイアフラムを溝溶接する鋼管構造が記載されている。
【特許文献１】特願２０００−２０２５８２
【特許文献２】特願２００２−０６１３２６
【特許文献３】特願平０６−３３１３０３
【特許文献４】特願平２０００−３４１２９３
【発明の開示】
【発明が解決しようとする課題】
【０００８】
従来の建築鉄骨柱梁接合部では、殆どが図１で示すサイコロで製作されており、図１及び図２に示すように、ダイアフラム１・鋼管２・裏当金１０・エンドタブ等部材が多く、溶接６は鋼管２の周囲に一周しており溶接量が多い。そのため、部品製作コストが掛かると共に、サイコロ製作後鋼管柱から張り出したダイアフラムが折れ曲がり、いわゆる傘折れ現象が起きて、ダイアフラム１と梁フランジ４との間で目違いが起こりやすいと言う問題がある。このようにダイアフラムが柱から張り出していると外壁を該ダイアフラムの外に作る必要があり建設上取り合いが悪くなると共に居住空間が狭くなる。また、ダイアフラムの使用材料が増加するなどの問題がある。また、裏当金１０を鋼管２の端部内周に取付け仮付溶接８を行うのは手間とコストが掛かる。また、鋼管２とダイアフラム１の溶接６を全周に亘って行うため、溶接量が多いので溶接残留応力が大きくなるだけでなく、裏当金１０を用いると部材４，５との間で切り欠きが出来て応力集中が発生し、強度を弱める結果となる。
【０００９】
また、図２に示すように、従来、スカラップ１１を用いているが、ダイアフラム１が存在しているために、該スカラップ加工が手間の掛かるものとなっている。スカラップ１１を省略するにしてもダイアフラム１１の板厚が梁フランジ４の板厚よりも大きいため、梁フランジ４の開先加工が難しい面がある。
【００１０】
更に、一般に溶接熱影響部は脆化し易いという事があり、従来、２つの溶接部が近接する場合、両溶接部による熱影響部が重なって脆化が更に促進されないように、両溶接部は該熱影響部が重ならないように遠ざけるようにするのが通例である。特に、両溶接部による溶接熱影響が重なった部分が外面に露出すると問題である。図２に示すように柱５とダイアフラム１との溶接部６が、梁４とダイアフラム１との溶接部７に近接し両溶接部に挟まれた共通の溶接熱影響部が外面に生じると該熱影響部は単一の熱影響部よりも脆化しやすいと言う現象がある。このような現象のために、柱梁接合部の脆性破壊強度・疲労強度及び塑性変形性能が低下するという問題が起こる。
【００１１】
従来、建築鉄骨の組立は、工場においてサイコロと短尺梁を取り付けてパネルゾーンを製作し、該パネルゾーンに柱を溶接で繋ぎ、通常は建物の３階分の長さに製作し、建設現場でパネルゾーン付きの柱を直立させてから短尺梁間を長尺梁でボルト接合により連結して行う。この従来工法は、梁付きの柱は梁が１メートル程度の短尺とは言え柱に直交して２〜４方向に張り出すことがあるため工場から現場へ運送する効率が悪く、建設現場での梁同士の多数のボルトを使った接合に工数と費用が溶接よりも掛かるという問題がある。
【００１２】
一方、図７に示す内ダイアフラム方式の柱梁接合部は、鋼管柱の端部から離れた位置にある内ダイアフラム１を内部が良く見えない状態で鋼管内面に溶接接合させる必要があり、その場合内面の溶接施工が難しくなると共に、鋼管柱５の外側のＨ形鋼梁フランジと高さ位置を合わせることが難しく梁フランジから内ダイアフラムへ応力が伝えにくくなり柱梁接合部の強度が低下しやすいという問題が存在する。当然のことながら、この内ダイアフラム方式では、該内ダイアフラムを鋼管内面に溶接するため、鋼管を内ダイアフラムの近傍で切断する必要がある。更に、その切断によるその後の突合せ溶接が必要になり、それらの工数が大きく掛かることになる。
【００１３】
また、従来はダイアフラムと鋼管の短管からサイコロを製作する小組立工程と、それから、このサイコロにＨ形鋼梁を取り付ける中組立と、サイコロにＨ形鋼梁を取り付けたものに鋼管柱を取り付ける大組立を行う方法を採用している。この従来方法では、鋼管柱は各階ごとに切断して溶接接合する必要があり、複雑で製作工数が大きく掛かると言う問題がある。
【００１４】
また、特願平０６−３３１３０３では、ボルト孔が鋼管柱を貫通させているので、鋼管の強度が低下するし、この強度低下を補うためにはかなりの厚肉の鋼管柱を使用する必要がある。鋼管柱は各階ごとに切断して溶接接合する必要がある。また、本方法では、かなり大きなエンドプレートを必要とする。
【００１５】
特願平２０００−３４１２９３では、図８に示すように、四辺形スロット２７の長手方向の端部が角張っているため、角部の加工に手間が掛かり、その角部は溶接時に溶け込みが悪く欠陥が出やすいという欠点がある。また、スロット２７の鋼管の幅方向の位置はダイアフラムを十字形にするために鋼管のほぼ中央であるが、梁を鋼管柱の端寄せにする場合に難しい面がある。
【００１６】
本発明は、建築鉄骨構造物の柱梁接合部熱歪み・熱歪み脆化を防止し・スカラップ加工・溶接開先加工を単純化して省力化すると共に、応力集中を緩和し、該仕口部の強度及び塑性変形性能を向上させると共に、内ダイアフラムを取付けて、柱の製作コストを低減させることを目的とする。
【課題を解決するための手段】
【００１７】
このような諸課題は、種々研究した結果、図１及び図２に示すような部材１と２で構成されるサイコロではダイアフラムの柱からの張り出しを無くして、例えば、図１０及び図１６に示すように、柱貫通ダイアフラムを内ダイアフラム１に変更して、梁位置に相当するところに、梁フランジの端部で肉盛溶接により拡大されたフランジ幅より長く且つ該梁フランジ厚さより幅広にした貫通長孔を、錐を用いて端部を円弧にした貫通長孔即ちスロット２７を開けて、柱５と内ダイアフラム１との溶接部６を溝溶接にして、梁４を、柱５に該溝溶接部を含めて溶接接合させれば解決することを見いだした。
また、上記貫通長孔を更に長くして柱全周に亘って加工することによっても解決できることを見いだした。
【００１８】
請求項１に係る発明では、建築鉄骨構造物において、
鋼管柱の梁フランジ取付位置に、該鋼管柱の全周に亘る貫通長孔、又は該全周に亘る貫通長孔に加えて梁ウエブの取付位置に貫通長孔を、機械的又は熱的溶断により開けて、
該貫通長孔位置の鋼管柱内部にＨ形鋼の一部又は全部を設置して、
該鋼管柱と、該鋼管柱内Ｈ形鋼のフランジ、又は該フランジに加えて該Ｈ形鋼ウエブ又はスティフナーとを、該鋼管柱の外面から該貫通長孔で溝溶接を行い、
しかる後、該溝溶接部を含めた鋼管柱とＨ形鋼梁のフランジ及びウエブとを溶接接合し鉄骨構造物を製作する方法である。
請求項１に係る発明では、発明の第１の構成は、建築鉄骨構造物において、鋼管柱の梁フランジ取付位置に、該鋼管柱の全周に亘る貫通長孔を、機械的又は熱的溶断により開けることであり、発明の第２の構成は、該貫通長孔位置に圧延又は溶接組み立てのＨ形鋼を鋼管柱内部に設置することであり、発明の第３の構成は、該鋼管柱の貫通長孔と、該Ｈ形鋼のフランジ端面、又は該フランジ端面に加えて該Ｈ形鋼ウエブ端面又はスティフナー端面を、鋼管柱の外面から該貫通長孔で溝溶接を行うことであり、発明の第４の構成は、しかる後、該溝溶接部を含めた鋼管柱とＨ形鋼梁とを溶接接合し鉄骨構造物を製作することである。本発明の新規性は、請求項３に係る発明に比べて、特に、梁フランジ取付高さ位置に、鋼管柱の全周に亘る貫通長孔を設けることである。この場合、貫通長孔の加工には、錐孔加工も不要で、バンドソーだけでも加工が可能である。尚、鋼管内部に挿入・設置されるＨ形鋼には、溶接組立Ｈ形鋼、ビルトＨ形鋼、ロールＨ形鋼があり、Ｈ形鋼はＨ形鋼フランジ及びＨ形鋼ウエブから構成され、更に、Ｈ形鋼ウエブ間にスティフナーが取り付けられることがある。
【００１９】
請求項２に係る発明では、建築鉄骨構造物において、発明の第１の構成は、該鋼管柱の梁フランジ取付位置に、鋼管柱の全周に亘る貫通長孔を、バンドソーなどの機械的方法又はガス切断・プラズマ切断・レーザ切断などの熱的溶断により開けることであり、発明の第２の構成は、該貫通長孔位置一つに単数又は複数枚の内ダイアフラムを密着又は隙間を開けて鋼管内部に設置することであり、発明の第３の構成は、該鋼管柱と該ダイアフラムを、鋼管柱の外面から溝溶接を行い、発明の第４の構成は、しかる後、該溝溶接部を含めた鋼管柱とＨ形鋼梁とを溶接接合し鉄骨構造物を製作することである。本発明の新規性は、請求項１に係る発明に比べて、該貫通長孔位置一つに単数又は複数枚の内ダイアフラムを密着又は隙間を開けて鋼管内部に設置することである。尚、鋼管内部に挿入・設置されるＨ形鋼には、溶接組立Ｈ形鋼、ビルトＨ形鋼、ロールＨ形鋼があり、Ｈ形鋼はＨ形鋼フランジ及びＨ形鋼ウエブから構成され、更に、Ｈ形鋼ウエブ間にスティフナーが取り付けられることがある。
【００２０】
そこで、請求項３に係る発明では、発明の第１の構成は、建築鉄骨構造物において、該鋼管柱の梁フランジ取付位置に、肉盛溶接しないで又は梁の応力を十分受け止めるため少なくともそのルート部で該梁フランジの端部で肉盛溶接により拡大されたフランジ幅より長く且つ該梁フランジ厚さより幅広にした貫通長孔を、先ず該貫通長孔端部においてその中央部幅又はそれより大きい径の錐孔を開けたのち該錐孔間をガス切断等の溶断又は鋸切断により開けることであり、発明の第２の構成は、該貫通長孔位置に圧延又は溶接組立てしたＨ形鋼を鋼管柱内部に挿入・設置することであり、発明の第３の構成は、該鋼管柱貫通長孔と、該Ｈ形鋼のフランジ端面又は該フランジに端面に加えて該Ｈ形鋼ウエブ端面又はスティフナー端面を、鋼管柱の外面から溝溶接を行うことであり、発明の第４の構成は、その後に、該溝溶接部を含めた該鋼管柱とＨ形鋼梁とを溶接接合し鉄骨構造物を製作することである。本発明の新規性は、特に、肉盛溶接しないで又は貫通長孔を対応する梁フランジの端部で肉盛溶接により拡大されたフランジ幅の大きさよりも長く且つ幅広にすることであり、その貫通長孔の端部を錐即ちドリル又はボーリング機械で孔を開けることであり、また、端部の錐孔同士を他の切断手段により直線切りで繋いで長孔を開けることである。更に、板状のダイアフラム単体ではなく柱内部梁に相当するＨ形鋼フランジを用いることである。
この柱内に設置されたＨ形鋼は板状のダイアフラムとは、形状・剛性・強度において、大きく異なるもので、むしろ柱内梁に相当するものである。
【００２１】
請求項４に係る発明では、発明の第１の構成は、請求項１又は３に係る発明において、梁方向及び梁フランジの高さの異なる複数の取付位置に設ける高さの異なる複数の貫通長孔に対して、一個のＨ形鋼又は一組のダイアフラムを鋼管柱内に設置することであり、発明の第２の構成は、該一個のＨ形鋼の一枚のフランジ又は一枚のダイアフラムと一つの全周貫通長孔を設けて溝溶接して鉄骨構造物を製作することである、本発明の新規性は、請求項３の発明に比較して、複数の高さ位置の異なる梁フランジおよびそれに対向する全周貫通長孔に対して、厚めの一枚のＨ形鋼フランジ又はダイアフラムで、複数のＨ形鋼フランジ又はダイアフラムを代用させることである。そして、複数のＨ形鋼フランジ又はダイアフラムを減らした分だけ全周貫通長孔の数を減らすことである。
【００２２】
請求項５に係る発明では、発明の第１の構成は、請求項３に係る発明において、梁方向及び梁フランジの高さの異なる複数の取付位置に設ける高さの異なる複数の貫通長孔に対して、一個のＨ形鋼フランジを鋼管柱内に設置することであり、発明の第２の構成は、該一個のＨ形鋼の一枚のＨ形鋼フランジに対し４つ以下の貫通長孔を設けて鉄骨構造物を製作することである。本発明の新規性は、請求項３の発明に比較して、複数の高さ位置の異なる梁フランジおよびそれに対向する貫通長孔に対して、厚めの一枚のＨ形鋼フランジで複数のダイアフラム又はＨ形鋼フランジを代用させることである。また、従来は、力学上、高さ位置の異なる梁フランジに対応してそれぞれの貫通長孔と内ダイアフラムが複数必要であり、各ダイアフラム毎に４つの貫通長孔と溝溶接が必要である。例えば、２枚のダイアフラムを用いれば８個の貫通長孔と溝溶接が必要である。本発明では、厚めの一枚のＨ形鋼フランジで複数のダイアフラムを代用してしかも４つ以下の貫通長孔にすることが新規性である。
【００２３】
請求項６に係る発明では、請求項３から５に記載の発明において、追加する構成は、溝溶接を行う場合又はＨ形鋼梁を溝溶接部に突合せ溶接する場合に、該内ダイアフラム接合端部両面、Ｈ形鋼フランジ端部両面、又は該Ｈ形鋼梁フランジの接合端部裏面又は側面に、それぞれ開先側溶接施工前に予め肉盛溶接をすることである。本発明の新規性は、請求項３から４に記載の発明の新規性に加えて、開先側溶接施工前に予め肉盛溶接をすることである。
【００２４】
請求項７に係る発明では、第１の構成は、建築鉄骨構造物において、２本のＨ形鋼端面にダイアフラムを挟み込むことであり、第２の構成は、２本のＨ形鋼端面とダイアフラム端面との間で溝溶接して２本のＨ形鋼を溶接接合することを特徴とする方法である。本発明の新規性は、内ダイアフラムをＨ形鋼同士の接合に適用し、Ｈ形鋼と得内ダイアフラムを溝溶接していることである。本発明においても、請求項１乃至６項で用いた方法が適用することができる。
【００２５】
請求項８に係る発明では、発明の第１の構成は、建築鉄骨構造物において、該鋼管柱の梁フランジ取付位置に、フランジ幅より長く且つ該梁フランジ厚さより幅広にした貫通長孔を、先ず該貫通長孔端部においてその中央部における幅以上の径の錐孔を開けたのち該錐孔間をガス切断等の溶断又は鋸切断により開けることであり、発明の第２の構成は、該貫通長孔位置にＨ形鋼を鋼管柱内部に挿入・設置することであり、発明の第３の構成は、該鋼管柱と、該Ｈ形鋼のフランジ、又はフランジに加えて該Ｈ形鋼ウエブ又はスティフナーを、鋼管柱の外面から溝溶接を行うことであり、発明の第４の構成は、その後に、該溝溶接部を含めた該鋼管柱とＨ形鋼梁とを裏当金を用いずに突合せ溶接接合し鉄骨構造物を製作することである。本発明の新規性は、特に、貫通長孔を対応する梁フランジの端部でフランジ幅の大きさよりも長く且つ幅広にすることであり、その貫通長孔の端部を錐即ちドリル又はボーリング機械で貫通長孔の幅以上の径の孔を開けることであり、また、端部の錐孔同士を他の切断手段により直線切りで繋いで長孔を開けることである。更に、板状のダイアフラム単体ではなく柱内部梁に相当するＨ形鋼フランジを用いることである。
この柱内に設置されたＨ形鋼は板状のダイアフラムとは、形状・剛性・強度において、大きく異なるもので、むしろ柱内梁に相当するものである。
【発明の効果】
【００２６】
請求項１に係る発明では、次の効果がある。
図１の従来のダイアフラム１と異なり、図３２に示すように、Ｈ形鋼フランジ部材１が柱５の外径より外にはみ出ていないので、いわゆるダイアフラム１の溶接曲げ変形である傘折れ現象が無く、建物外壁製作の取り合いが良くて、且つ、ダイアフラムの張り出しの分だけたても建物室内空間が増加するという効果がある。少なくとも柱長管部材溶接部と梁端溶接部を個別に溶接し、両者を繋げて一体化させることにより、従来の柱・ダイアフラム間の溶接とダイアフラム・梁端の溶接によるダイアフラム張り出し部の熱歪脆化を防止することができる。
Ｈ形鋼フランジと鋼管柱との溝溶接、及び該溝溶接部を含めた鋼管柱梁端溶接を個別に溶接し、両者を繋げて一体化させることにより、柱と梁間の応力の伝達がより効率的になる。
Ｈ形鋼フランジの位置は溝溶接位置で明確に視認できるので、Ｈ形鋼フランジと梁フランジとのずれが問題になることはない。
Ｈ形鋼フランジが鋼管柱を貫通していないので、Ｈ形鋼フランジのラメラーテアが問題になることもない。
鋼管柱内にＨ形鋼フランジを設置するので、Ｈ形鋼フランジとウエブとスティフナーが一体であり、単なるダイアフラムを鋼管柱内に設置するよりも容易であり、柱梁接合部の強度も高くなる。単なるダイアフラムは柱内で不安定で運び入れにくい。
鋼管柱内に設置するＨ形鋼フランジは従来のダイアフラムではなく、該Ｈ形鋼は梁と同じ形状をしており、柱内の梁の役目を果たすもので、梁ウエブによりフランジの変形を抑え、フランジの強度を高め、スティフナーと鋼管と溝溶接すれば、梁貫通型の構造を形成するものである。梁貫通型では、梁に掛かるモーメントを梁フランジだけでなく梁ウエブにも負担させることができ柱梁接合部に安全性が増加すると共に、梁せいを小さくすることができるという効果がある。
裏当金及びその取付作業がないので製作工数の低減になる。
請求項３に係る発明のように、錐孔を開ける必要がなく、また、鋼管端面の開先加工も不要である。
貫通長孔は全周に亘っているので、該Ｈ形鋼フランジの該フランジを鋼管柱内の奥まで挿入することなくて、セットするのが容易である。
【００２７】
請求項２に係る発明では次の効果がある。
図１の従来のダイアフラム１と異なり、ダイアフラム１が柱５の外径より外にはみ出ていないので、いわゆるダイアフラム１の溶接曲げ変形である傘折れ現象が無く、建物外壁製作の取り合いが良くて、且つ、ダイアフラムの張り出しの分だけたても建物室内空間が増加するという効果がある。少なくとも柱長管部材溶接部と梁端溶接部を個別に溶接し、両者を繋げて一体化させることにより、従来の柱・ダイアフラム間の溶接とダイアフラム・梁端の溶接によるダイアフラム張り出し部の熱歪脆化を防止することができる。
ダイアフラムの使用材料が従来の通しダイアフラムよりも２０〜５０％程度減少し省資源になる。
ダイアフラムと鋼管柱との溝溶接、及び該溝溶接部を含めた鋼管柱梁端溶接を個別に溶接し、両者を繋げて一体化させることにより、柱と梁の応力の伝達がスムーズになる。
ダイアフラム即ち内ダイアフラムの位置は溝溶接位置で明確に視認できるので内ダイアフラムと梁フランジとのずれが問題になることはない。
内ダイアフラムが鋼管柱を貫通していないので、内ダイアフラムのラメラーテアが問題になることもない。
鋼管柱の一つの貫通長孔にダイアフラム２枚を設置する場合は、それぞれのダイアフラムを各鋼管柱端面に設置できるので、ダイアフラムの取付及び柱同士の組立が容易である。
裏当金及びその取付作業がないので製作工数の低減になる。
請求項３に係る発明のように、錐孔を開ける必要がなく、また、鋼管端面の開先加工も不要である。
（９）貫通長孔は全周に亘っているので、請求項３に係る発明よりも該Ｈ形鋼フランジの該フランジを鋼管柱内にセットするのが容易である。
【００２８】
請求項３に係る発明では、次の効果がある。
貫通長孔加工において、貫通長孔の両端に開けた錐孔は、その端部が円弧になり溝溶接し易く、また、残りの錐孔間の直線切りはガス切断が極めて容易となる。錐孔を開けるのは端部の位置決めが容易で且つ端部がきれいに仕上がり、溝溶接も容易になる。この貫通長孔全体を、レーザ切断、ガス切断するのは、長孔の曲がり部でノロ、ひげ、ドロスが付いて加工上手間がかかるのと高度な技術と多大な設備費が必要で難しい。
図１の従来のダイアフラム１と異なり、図１６に示すように、Ｈ形鋼フランジが柱５の外径より外にはみ出ていないので、いわゆる従来のダイアフラム１の溶接曲げ変形である傘折れ現象が無く、建物外壁製作の取り合いが良くて、且つ、ダイアフラムの張り出しの分だけでも建物室内空間が増加するという効果がある。少なくとも柱長管部材溶接部と梁端溶接部を個別に溶接し、両者を繋げて一体化させることにより、従来の柱・ダイアフラム間の溶接とダイアフラム・梁端の溶接によるダイアフラム張り出し部の熱歪脆化を防止することができる。
Ｈ形鋼フランジと鋼管柱との溝溶接、及び該溝溶接部を含めた鋼管柱梁溶接を行い、両者を繋げて一体化させることにより、柱と梁間の応力の伝達効率が上がる。
鋼管柱の切断無しの通し柱となるため、柱の切断作業をなくすると共に柱の溶接量が５０％以上低減し溶接能率が向上する。
Ｈ形鋼フランジの設置位置は貫通長孔位置で明確に視認できるのでＨ形鋼フランジと梁フランジとのずれが問題になることはない。
Ｈ形鋼フランジが鋼管柱を貫通していないので、従来のダイアフラム１と異なり、Ｈ形鋼フランジのラメラーテアが問題になることもない。
鋼管柱内に設置したＨ形鋼は、Ｈ形鋼フランジとＨ形鋼ウエブが一体であり、単独でダイアフラムを鋼管柱内に設置するよりも容易であり、また、柱梁接合部の強度も高くなる。
鋼管柱内に設置するＨ形鋼フランジは従来のダイアフラムではなく、柱内Ｈ形鋼は、梁と同じ形状・構造をしており、Ｈ形鋼ウエブによりＨ形鋼フランジの変形を抑え、フランジの強度を高め、Ｈ形鋼フランジと鋼管と溝溶接すれば、梁貫通型の構造を形成するものである。梁貫通型では、柱側梁端部に掛かるモーメントを梁フランジだけでなく梁ウエブにも負担させることができ、柱梁接合部の安全性が増加すると共に、梁せい寸法を小さくすることができるという効果がある。
裏当金及びその取付作業がないので製作工数の低減になる。
（１０）貫通長孔の大きさを少なくともそのルート部で該梁フランジの端部で肉盛溶接により拡大されたフランジ幅より長く且つ該梁フランジ厚さより幅広にしているので、貫通長孔部の溶接部で通常の梁フランジ幅の梁よりも大きな曲げモーメントに耐えられ、梁柱接合部の累積塑性変形能が従来の裏当金・エンドタブ方式の柱梁接合部よりも２倍以上のものが得られ、梁の応力を十分受け止めることが出来る。
【００２９】
請求項４に係る発明では、請求項１又は３に係る発明の効果に加えて、次の効果がある。即ち、上下に近接した梁フランジの高さの異なる複数の取付位置に対して、ダイアフラム又はＨ形鋼フランジの枚数を減らして、全周貫通長孔の数を減少させることができる。その分だけ鉄骨製作工数が削減できる。
【００３０】
請求項５に係る発明では、請求項３に係る発明の効果に加えて、次の効果がある。即ち、上下に近接した梁フランジの高さの異なる複数の取付位置に対して、ダイアフラム又はＨ形鋼フランジの枚数を減らして、貫通長孔の数を減少させることができる。その分だけ鉄骨製作工数が削減できる。
【００３１】
請求項１から５に係る発明では全周貫通孔即ちスロット工法では、従来工法に比べ開先加工不要・裏当金不要・約３０％の溶着減・ダイアフラム４０％減・材質１ランク下げ、局部スロット工法に比べ柱のドリル孔加工・スロット加工不要・開先加工不要・ダイアフラム挿入容易、つばなし工法に比べ裏面肉盛不要の効果がある。
【００３２】
請求項６に係る発明では、請求項３から５に係る発明の効果に加えて、次の効果がある。
即ち、梁端部裏面・側面又は内ダイアフラム端部側面Ｈ形鋼フランジ端部側面の応力集中を軽減させることができる。このことにより、柱梁接合部全体の強度を向上させることができる。
【００３３】
請求項７に係る発明では、貫通型のダイアフラムを挿入する場合に比較して、ダイアフラムの量を縮減させることができるし、溶接箇所を２カ所から１カ所に縮減させることができて、製作工数と製作費用の低減に役立つ。
【００３４】
請求項８に係る発明では、特に、貫通長孔を対応する梁フランジの端部でフランジ幅の大きさよりも長く且つ幅広にすることであり、その貫通長孔の端部を錐即ちドリル又はボーリング機械で貫通長孔の幅以上の径の孔を開けることであり、貫通長孔端部における溝溶接が容易になり、また、該溝溶接部を含めた該鋼管柱とＨ形鋼梁とを裏当金なしの突合せ溶接接合するため梁接合の強度が向上する。更に、板状のダイアフラム単体ではなく柱内部梁に相当するＨ形鋼フランジを用いることで鋼管内に該Ｈ形鋼フランジを滑らせて挿入することが出来てセットが容易である。
【発明を実施するための最良の形態】
【００３５】
鉄骨構造物柱梁接合部の梁と内ダイアフラム直結工法について実施例を次に述べる。
【実施例１】
【００３６】
請求項１に係る発明の実施の形態について説明する。本発明では、図１２に示すように、鋼管柱５の梁フランジ取付位置に、該鋼管柱５の全周に亘る貫通長孔２７を、機械的切断又は熱的溶断により開ける。機械的切断とは、鋸切断、バンドソー、フライス盤などであり、熱的溶断とはガス切断、プラズマ切断、レーザ切断などである。また、図１３に示すように、該鋼管柱５の全周に亘る貫通長孔２７を機械的切断又は熱的溶断により開ける場合に、鋼管柱５の梁フランジ取付位置４Ａ部分だけ溝幅を梁フランジ板厚より大きくし、他の部分をより溝幅を小さくするようにする。その場合、大きい溝幅の端部２９は直線以外にも円弧又は楕円状にすることができる。
【実施例２】
【００３７】
また、請求項１に係る発明の実施の他の形態について説明する。図３２に示すように、鋼管柱５の全周に亘る該貫通長孔位置にＨ形鋼フランジ１Ａを鋼管柱５内部に設置し、図３２（イ）のように該鋼管柱５と該Ｈ形鋼の該フランジ１Ａを、鋼管柱５の外面から溝溶接２２を柱５の全周に亘り行うか、又は、図３２（ロ）のように、該鋼管柱５と該フランジ１Ａとを鋼管柱５の外面から溝溶接２２を柱５の全周に亘り行い、且つ、該鋼管柱５とＨ形鋼ウエブ又はスティフナーを鋼管柱５の外面から溝溶接５Ｗをその全長又は一部分について行う。該溝溶接５Ｗを一部分について行う場合は、Ｈ形鋼ウエブ又はスティフナーのＨ形鋼のフランジ寄りに上下１／６程度実施すれば応力の伝達及び施工上効率が良い。しかる後、図１７及び図３２に示すように、該溝溶接部２２と５Ｗを含めた鋼管柱５とＨ形鋼梁フランジ４・ウエブ９とを溶接接合し鉄骨構造物を製作する。この場合、貫通長孔の加工に錐孔が不要である。
【実施例３】
【００３８】
請求項２に係る発明の実施の形態について説明する。図１２に示すように、鋼管柱５の梁フランジ取付位置に、鋼管柱５の全周に亘る貫通長孔２７を、機械的又は熱的溶断により開けて、図１９・図２０・図２１及び図２２に示すように、該貫通長孔位置一つに単数又は複数の内ダイアフラム１Ａを鋼管柱５の内部に設置して、図２８（イ）〜（ト）に示すように、該鋼管柱５と該ダイアフラム１を、鋼管柱５の外面から溝溶接２２を行い、しかる後、図１７に示すように、該溝溶接部２２を含めた鋼管柱５とＨ形鋼梁４とを溶接接合し鉄骨構造物を製作する。図１９は、溝溶接継手当たり１枚の内ダイアフラム１Ａを使用した全周スロット溶接の開先断面図である。図２０は、溝溶接継手当たり２枚の内ダイアフラムを使用した全周スロット溶接の開先断面図であり、２枚の内ダイアフラムをそれぞれの鋼管柱に取り付けておけば、鋼管同士の組立が極めて容易である。図２１は、溝溶接継手当たり３枚の内ダイアフラムを使用した全周スロット溶接の開先断面図であり、３枚の内ダイアフラムのうち中央の内ダイアフラムの外径を鋼管内径よりも大きくすると溝溶接部２２の断面が減少して溶接作業の工数低減に役立つ。図２２は、溝溶接継手当たり１枚の開先付き内ダイアフラムを使用した全周スロット溶接の開先断面図であり、この場合内ダイアフラムの開先先端の外径を鋼管内径よりも大きくすると溝溶接部２２の断面が減少して溶接作業の工数低減に役立つ。
【実施例４】
【００３９】
請求項２に係る発明の実施の形態について説明する。図１６及び図１７において、鋼管柱５は、該鋼管５の梁フランジ取付高さ位置に梁フランジ板厚相当の柱全周貫通長孔を開けて、該柱全周貫通長孔位置に内ダイアフラム１を鋼管柱５の内部に設置して、鋼管柱５の外面から溝溶接２２を行うことにより、鋼管柱５と内ダイアフラム１を溶接接合して、しかる後、該溝溶接部２２を含めた鋼管柱５とＨ形鋼梁フランジ４とを溶接接合１７して鉄骨構造物を製作する方法を示している。溶接部１７は裏当金１０及び仮付８を用いて溶接している。図１７に示すように、内ダイアフラム１の形状は鋼管柱内面の形状に合わせたものである。その肉厚は梁フランジ厚さよりも通常５〜１５ｍｍ程度大きく取る。また、図１７に示すように、内ダイアフラム１の中央に貫通長孔２４を設けて、溶接品質向上、該内ダイアフラム１の鋼管柱５内部への挿入、及びＣＦＴ構造のコンクリート充填に役立てる。図２９に示すように、内ダイアフラムの角部に貫通孔２４Ａを開けるとＣＦＴ構造のコンクリート充填が更に容易になる。また、溝溶接２２は梁が１方向しかなくても梁から掛かる応力を受けるために通常鋼管柱５の側面の４面について行う。また、梁が２方向以上あって、該梁のサイズが異なっている場合は、通常、鋼管柱５の側面の４面に設ける貫通長孔の大きさは最大梁フランジ大きさに対応した寸法のものを用いる。
【実施例５】
【００４０】
また、請求項２に係る発明の実施の他の形態について説明する。梁が鋼管の中央に設置されなくて、図２４に示すように、鋼管柱５の全周スロット（溝）溶接部２２の角部を肉盛２２Ａしてその角部を盛り上げて梁フランジ４と合わせて溶接し、全周スロット（溝）工法における梁の端寄せ接合を行うことができる。尚、図２３に示すように、全周スロット（溝）工法でない場合は、鋼管柱５の曲がり部でない平面領域で梁フランジ４の端寄せが可能である。
【実施例６】
【００４１】
請求項３に係る発明の実施の形態のうち、鋼管柱内へのＨ形鋼の設置方法について説明する。図１０に示すように、該鋼管５の梁フランジ取付位置に、該梁フランジの端部で肉盛溶接により拡大されたフランジ幅より長く且つ該梁フランジ厚さより幅広にした貫通長孔２７を開け、該貫通長孔位置２７にビルトＨ形鋼フランジを鋼管柱５の内部に設置する場合、図９に示すように、上下Ｈ形鋼フランジを、梁フランジ間隔を保ちながら柱内Ｈ形鋼ウエブ２５で仮付溶接又はすみ肉溶接又は突合せ溶接で固定し、鋼管柱５の端部開口部から鋼管柱５の内に挿入し所定位置２７に設置する。
【実施例７】
【００４２】
請求項３に係る発明の他の実施の形態について説明する。図１０及び図１１に、該鋼管柱５の梁フランジ取付位置４Ａに、該梁フランジ幅の端部で肉盛溶接により拡大されたフランジ幅より長く且つ該梁フランジ厚さより大きくした貫通長孔２７（長さＬ）を、該貫通長孔端部において錐孔２７Ｂを開けたのち該錐孔間即ち貫通長孔の中央辺をガス切断、プラズマ切断、レーザ切断等の溶断又は鋸切断により開けた外観図を示す。この貫通長孔２７は長さＬの長孔であるが、任意に大きくすることができ、梁フランジの幅が大きくなれば、鋼管柱の幅一杯まで長くすることができる。
【実施例８】
【００４３】
請求項３に係る発明の他の実施の形態について説明する。請求項３に記載の発明において、図９、図３０及び図３２（イ）、（ロ）に示すように、梁ウエブ９の延長上へ梁ウエブの厚さ以上の柱内Ｈ形鋼ウエブ２５を上下Ｈ形鋼フランジ１Ａ間に溶接接合２６させて、溶接接合した該Ｈ形鋼フランジ１Ａと該Ｈ形鋼溶接２５を鋼管柱５の端部開口部から鋼管柱５の内に挿入し所定位置に設置し、図１８の如くＨ形鋼フランジ１Ａと柱５との溝溶接２２をし、柱梁接合部の高強度性能要求に応じて該柱内Ｈ形鋼ウエブ２５を鋼管柱５と溝溶接５Ｗさせ、更に、該溝溶接部５Ｗに該梁ウエブ９をすみ肉溶接２３させることを特徴とする鉄骨構造物の製作方法である。この柱内Ｈ形鋼ウエブ２５と鋼管柱５との溝溶接５Ｗは梁取付側だけでなく梁が無くてもその反対側の柱５にも溝溶接を実施する。また、図３２の該すみ肉溶接２３は突合せ溶接で行うことも可能である。
【実施例９】
【００４４】
また、請求項３に係る発明の実施の他の形態について説明する。図９及び図１４に、フランジに柱内Ｈ形鋼ウエブをそれぞれ一方向及び２方向に取り付けた状態絵示す。図１４（イ）は柱内Ｈ形鋼ウエブ同士を溶接で連結した場合であり、図１４（ロ）は縦柱内Ｈ形鋼ウエブの水平長さをコラム径の約半分にしてフランジに溶接で取り付けた場合である。このＨ形鋼フランジ１Ａを、鋼管柱５内の貫通長孔位置に溶接接合で取り付けた状態を、図３０及び図３１に示す。図２８（イ）には、鋼管柱５とダイアフラム又はＨ形鋼フランジとの溝溶接２２の状況を断面図で示す。該溝溶接２２を実施した後に、図３０及び図３１に示すように、梁フランジ４を溝溶接２２の上に重ねて溶接接合１７する。尚、請求項３〜６に係る発明で実施する溝溶接とは、鋼管に細長い貫通長孔を開けて９０°に近い開先角度の溝状の開先加工を行い、そのルート部にダイアフラム・Ｈ形鋼フランジを宛がい完全溶け込みを行うグルーブ溶接である。その貫通長孔の少なくともルート部の幅はＨ形鋼フランジ板厚以上となる。
【実施例１０】
【００４５】
請求項４に係る発明の実施の形態について説明する。請求項１又は３に係る発明において、図３６及び図３７に示すように、直交する二つの梁３と３Ａの梁せいがそれぞれＨ１とＨ２で異なり、高さ位置の異なる２枚の下フランジ４に対して２枚のダイアフラムを用いる代わりに、それを１枚の厚板のダイアフラム１Ｔを鋼管柱５内に設置する。そして、該１枚のダイアフラム１Ｔに対し１つの全周貫通長孔２７Ｃを設けて鋼管柱５の外面から全周溝溶接２２を実施し梁３と３Ａを取り付けて、鉄骨構造物を製作する。２枚のダイアフラムを用いれば２個の全周貫通長孔と溝溶接２２が必要であるが、本発明では、厚めの１枚のダイアフラム１Ｔで２枚のダイアフラムを代用して、しかもそれぞれ１つの全周貫通長孔と溝溶接２２を施工するだけで済む。この実施の形態は、ダイアフラムの代わりにＨ形鋼フランジを用いる場合でも同様である。
【実施例１１】
【００４６】
請求項５に係る発明の実施の形態について説明する。請求項３に係る発明の実施の形態のうち、方向及び梁せいの異なる梁を２種類以上柱に接合する場合の鋼管柱内への内ダイアフラムの設置方法について説明する。
請求項３に係る発明において、図３４及び図３５に示すように、直交する二つの梁３と３Ａの梁せいがそれぞれＨ１とＨ２で異なり、高さ位置の異なる２枚の下フランジ４に対して２枚のダイアフラムを用いる代わりに、それを１枚の厚板のダイアフラム１Ｔを鋼管柱５内に設置する。そして、該１枚のダイアフラム１Ｔに対し４つの貫通長孔を設けて鋼管柱５の外面から溝溶接２２を実施し梁３と３Ａを取り付けて鉄骨構造物を製作する。２枚のダイアフラムを用いれば８個の貫通長孔と溝溶接２２が必要であるが、本発明では、厚めの１枚のダイアフラム１Ｔで２枚のダイアフラムを代用して、しかも４つ以下の貫通長孔と溝溶接２２を施工するだけで済む。この４つ以下の貫通長孔の大きさはいずれも最大梁に対する貫通長孔の大きさ同等かそれよりも大きくする。この実施の形態は、ダイアフラムの代わりにＨ形鋼フランジを用いる場合でも同様である。
【実施例１２】
【００４７】
請求項６に係る発明の実施の形態について説明する。図２５において、鋼管柱５を柱梁接合部ごとに切断することなく、該鋼管５の梁フランジ取付位置に局部又は全周貫通長孔を開けて、該貫通長孔位置にＨ形鋼フランジ１Ａ又は内ダイアフラム１を鋼管柱５の内部に設置して、鋼管柱５の外面から溝溶接２２を行うことにより、鋼管柱５と内ダイアフラム１Ａを溶接接合して、しかる後、Ｈ形鋼梁フランジ４の端部内面を肉盛溶接１４して開先加工をした後、該溝溶接部２２を含めた鋼管柱５とＨ形鋼梁４とを溶接接合１７して鉄骨構造物を製作する方法を示している。溶接部１７は肉盛溶接１４及び仮付８を用いて溶接している。通常、図３０に示すように、内ダイアフラムの形状は４角形の角を切り欠いたものであるが、図１７又は図１８に示すように、鋼管柱内面の形状に合わせたものでも良く、その肉厚は通常梁フランジよりも５〜１５ｍｍ程度大きくとる。
【実施例１３】
【００４８】
請求項６に係る発明の他の実施の形態について説明する。
請求項３から５に記載の発明において、溝溶接２２を行う場合又はＨ形鋼梁３のフランジ４を溝溶接部２２に突合せ溶接１７する場合に、図２６に一例を示すように、該内ダイアフラム１の接合端部の上下両面、該Ｈ形鋼フランジ端部の上下両面、又は該Ｈ形鋼梁フランジ４の接合端部の裏面又は側面に、それぞれ開先側溶接施工前に予め肉盛溶接１４をして鉄骨構造物を製作する。
【実施例１４】
【００４９】
なお、請求項３〜５に係る発明において、内ダイアフラム１の端部両面に肉盛溶接をする代わりに、図３３に示すように、Ｈ形鋼フランジ１Ａ又は内ダイアフラム１の端部両面に裏当金１０を仮付溶接８により取り付けておく方法も内ダイアフラム１と鋼管５との溝溶接を安定的に実施する良い方法であり、本発明の応用例の一つである。この場合、この裏当金を用いた場合に、裏当金１０を付けない場合よりも、Ｈ形鋼フランジ１Ａ又は内ダイアフラムの厚さを大きくすることなく溝溶接２２を安定的に行うことができる。なお、必要により、図３２（ロ）のＨ形鋼ウエブ又はスティフナーの溝溶接側に同様の裏当金１０を、Ｈ形鋼ウエブ又はスティフナーの端部に仮付溶接８により取り付ける方法も本発明の応用例の一つである。
【実施例１５】
【００５０】
請求項３から６に係る発明において、図２９に、柱梁接合部内にセットされた四隅又は中央に貫通長孔を設けたＨ形鋼フランジ又はダイアフラムの上面図を示す。（イ）は局部スロット溶接の場合で、（ロ）は全周スロット溶接の場合である。Ｈ形鋼フランジ又はダイアフラムの四隅に貫通長孔２４Ａを開けた場合に、柱５をメッキする場合やＣＦＴ構造のコンクリートを隅々まで充填するのに有効である。（ハ）は全周スロット溶接の場合で、ダイアフラムの４隅の貫通孔はダイアフラムの外周と連続して切断できる一筆書きの貫通孔である。中央に別途孔を開けることもできる。（ハ）は（ロ）と同様に、柱５をメッキする場合やＣＦＴ構造のコンクリートを隅々まで充填するのに有効である。（ロ）のばあいよりも短時間にダイアフラムの切断加工が可能になる。
【実施例１６】
【００５１】
請求項３から６に係る発明において、図２３は、通常の短いスロット（溝）溶接部を柱５の角部即ち曲部近くまで端寄せして該スロット溶接部と梁を接合した場合を示す。図２４は、全周スロット溶接の鋼管柱角部のスロット（溝）溶接部を肉盛して梁を鋼管柱の端部まで寄せた場合の例である。
【実施例１７】
【００５２】
請求項３から６に係る発明において、鋼管柱に角形鋼管及び円形鋼管を用いる。
【実施例１８】
【００５３】
請求項１から６に係る発明において、柱内に用いるＨ形鋼として溶接組立Ｈ形鋼又はロールＨ形鋼を用いる。角形鋼管柱内に用いるＨ形鋼フランジの角部は、該角形鋼管の角部に合わせて切断するか又はスニップカットを行う。円形鋼管柱内に用いるＨ形鋼フランジは、該円形鋼管の内径に合わせて切断する。
【実施例１９】
【００５４】
請求項２に係る発明の実施の他の形態について説明する。図２７に示すように、柱天頂部で全周スロット溶接を行って梁を取り付ける場合、天頂部の梁取付部以外はすみ肉溶接で柱と梁を接合させる。
【実施例２０】
【００５５】
請求項２に係る発明の実施の他の形態について説明する。図３８（イ）に示すように、鋼管柱５とダイアフラム１を接合する場合に、凡そ３〜１０ｍｍ厚の薄ダイアフラム１Ｕをダイアフラム１に取り付けてからスロット（溝）溶接を実施する。尚、この薄ダイアフラム１Ｕのダイアフラム１への取り付けは、該薄ダイアフラム１Ｕの中央貫通孔２４内に仮付溶接３３で行う。鋼管柱とダイアフラムを初層溶接３１を実施した状態を示す。図３８（ロ）は図３８（イ）又は図２１の変形である。図３８（ロ）に示すように、鋼管柱５と中実のサイコロ３２を接合する場合に、凡そ３〜１０ｍｍ厚の薄ダイアフラム１Ｕを鋼管柱５内のサイコロ３２に取り付けてスロット溶接を実施する。尚、この薄ダイアフラム１Ｕのダイアフラム１への取り付けは該薄ダイアフラム１Ｕの中央貫通孔２４内に仮付溶接３３で行う。この場合、初層溶接が容易で、ルート部に切り欠き即ちノッチができにくいのが特長で、応力集中が従来の裏当金よりも緩和されるのが特徴である。
【実施例２１】
【００５６】
請求項７に係る発明の実施の形態について説明する。図３９に、Ｈ形鋼梁同士の従来工法による接合を示す。図に示すように、通しダイアフラム１がＨ形鋼梁３に挟まれた形である。２本のＨ形鋼３は通しダイアフラム１を挟んで裏当金１０を用いて溶接１７がなされている。請求項７に係る発明では、図４０（イ）に示すように、ダイアフラム３４は内ダイアフラムの形式で２本のＨ形鋼３に挟まれており、２本のＨ形鋼３の端面と内ダイアフラムの端面とで溝溶接３５がなされる。角形鋼管と異なるところは、左右の側面に部材がなくて開かれていることである。図４０（ロ）では、角度を持って斜めに２つのＨ形鋼が溝溶接で接合されている。この場合、鉄骨屋根の溶接接合に適用することができる。図４１に示すように、２枚の内ダイアフラム３４が３つのＨ形鋼部材１Ａに挟まれて溝溶接３５されて、その溝溶接３５がＨ形鋼梁３と継手溶接１７されている。図４０及び図４１では、Ｈ形鋼３の内側で、Ｈ形鋼フランジと内ダイアフラムとを溝溶接の施工前又は施工後にすみ肉溶接３６を行うことが可能である。また、Ｈ形鋼３のウエブ９をＨ形鋼の奥まで切り込んでＨ形鋼フランジ４を突き出させて内ダイアフラム３４の板厚をＨ形鋼フランジ端部間距離即ち溝幅よりも大きく取ることも可能である。このように、Ｈ形鋼フランジと内ダイアフラムとを溝溶接の施工前にすみ肉溶接３６を行うことや内ダイアフラムの板厚をＨ形鋼フランジ端部間距離よりも大きく取ることにより、溝溶接を安定的におこなうことができる。内ダイアフラム及び溝幅は通常梁フランジ板厚よりも２〜６ｍｍ大きくする。尚、通常ウエブ９と得内ダイアフラム３４はすみ肉溶接を実施する。また、図４０又は図４１に示す溝溶接３５は、図１３、２０、２１、２２、２８に示すように、請求項１から６に係る発明の継手を用いることができる。また、図４０又は図４１に示す内ダイアフラムのフランジ幅方向の幅は任意に取ることができる。
【実施例２２】
【００５７】
請求項８に係る発明の実施の形態について説明する。図４１に、内ダイアフラム３４端面又は、該内ダイアフラム端面に加えて該Ｈ形鋼ウエブ端面又はスティフナー端面と、鋼管柱５の貫通長孔とを溝溶接３５した後、溝溶接３５を含めた鋼管柱５とＨ形鋼梁３とを裏当金を用いずに突合せ溶接させている。この裏当金なしの突合せ溶接１７は、一例を挙げればＨ形鋼梁３のフランジ１Ａに３５°の片側開先加工をして、水平溶接姿勢で梁フランジ１Ａの開先のない内側から溶接して開先のある表側にビードの波を形成させ、その後、開先のある表側から溶接を実施して継手溶接を完了させる。
【図面の簡単な説明】
【００５８】
【図１】従来の建築鉄骨柱梁接合部の立体図の一例
【図２】従来の建築鉄骨柱梁接合部の鋼管・ダイアフラム・梁フランジ接合部の断面図
【図３】部材端部に水冷又は非水冷の銅製当て金をあてがい肉盛溶接をした断面図の一例
【図４】部材端部に薄い鋼板をあてがい、肉盛溶接をした断面図の一例
【図５】部材１３の端部に肉盛溶接し部材端部及び肉盛溶接部１４を共に開先加工した状態の断面図
【図６】部材１３の端部に肉盛溶接１４と開先加工をして継手の相手部材１６にあてがい、継手溶接を実施した状態の断面図
【図７】鋼管柱内部に装填された内ダイアフラムの施工状況を示す断面図
【図８】鋼管柱の側面に四辺形の形状に開けた貫通長孔の外観図
【図９】Ｈ形鋼フランジにウエブを取り付けた状態の外観図
【図１０】鋼管柱の側面に端部を円弧又は楕円弧にした貫通長孔の外観図
【図１１】鋼管柱の側面に端部に錐孔を開けて長辺を溶断又は鋸切断して製作した貫通長孔の外観図。（イ）は錐孔径と貫通長孔幅と同等の場合。（ロ）は錐孔径が貫通長孔幅より大きい場合で、貫通長孔は正面形状がダンベル形状をしている。
【図１２】鋼管柱の梁フランジ設置位置に全周貫通長孔（溝）加工した外観図
【図１３】鋼管柱の梁フランジ設置位置に梁フランジ４Ａが設置される箇所だけ溝幅を大きくし他の部分をより細くして全周溝加工した外観図。溝端部２９は直線、円弧、又は楕円弧である。（イ）は鋼管柱の両側を切り欠いた場合であり、（ロ）は鋼管柱の方側を切り欠いた場合である。
【図１４】Ｈ形鋼フランジにウエブを直角方向の２方向に取り付けた状態の外観図
【図１５】鋼管柱の側面に端部に錐孔を開けて長辺を溶断又は鋸切断して製作し、更に、梁ウエブに位置するところに貫通長孔を開けた外観図
【図１６】内ダイアフラムと鋼管柱とを全周貫通長孔（スロット又は溝ともいう）溶接し、梁フランジを、裏当金を用いて溝溶接部に重ねて溶接し、梁ウエブを鋼管柱にすみ肉溶接した断面図
【図１７】内ダイアフラムと鋼管柱とを全周貫通長孔（スロット又は溝ともいう）溶接し、梁フランジを溝溶接部に重ねて溶接し、梁ウエブを鋼管柱にすみ肉溶接した横断面上面図
【図１８】内ダイアフラム又はＨ形鋼フランジを鋼管の内面に合わせ、鋼管柱と溝溶接し、梁フランジを溝溶接部に重ねて溶接し、梁ウエブを鋼管柱にすみ肉溶接した横断面上面図
【図１９】貫通長孔継手当たり１枚の内ダイアフラムを使用した全周全周貫通長孔（スロット又は溝ともいう）溶接の断面図で、梁端部側面に肉盛溶接を実施した場合の柱梁接合部
【図２０】貫通長孔継手当たり２枚の内ダイアフラムを使用した全周全周貫通長孔（スロット又は溝ともいう）溶接の断面図
【図２１】貫通長孔継手当たり３枚の内ダイアフラムを使用した全周全周貫通長孔（スロット又は溝ともいう）溶接の断面図
【図２２】貫通長孔継手当たり１枚の開先付き内ダイアフラムを使用した全周全周貫通長孔（スロット又は溝ともいう）溶接の断面図
【図２３】通常の短い全周貫通長孔（スロット又は溝ともいう）溶接部における梁の端寄せ
【図２４】鋼管柱角部の全周貫通長孔（スロット又は溝ともいう）溶接部を肉盛して全周スロット工法における梁の端寄せ
【図２５】内ダイアフラムと梁フランジ直結の柱梁接合部で梁フランジの裏面に肉盛溶接を施した場合の縦断面図
【図２６】内ダイアフラムと梁フランジ直結の柱梁接合部で内ダイアフラムの端部両面及び梁フランジの裏面に肉盛溶接を施した場合の縦断面図
【図２７】柱天頂部の全周スロット溶接図。（イ）は上面図で、（ロ）は正面断面図である。
【図２８】各種継手のスロット溶接とその積層方法（点線）の例。（イ）は鋼管柱がＩ開先で局部スロット（溝）溶接、又は全周スロット（溝）溶接の適用、（ロ）は鋼管柱がＩ開先でダイアフラムの一部が開先内に突きだしている全周スロット（溝）溶接、（ハ）は鋼管柱がＩ開先で複数のダイアフラムを使った局部スロット（溝）溶接、又は全周スロット（溝）溶接、（ニ）は鋼管柱がＩ開先で複数のダイアフラムを使い一枚のダイアフラムが開先内に入り込んでいる全周スロット（溝）溶接適用、（ホ）は鋼管柱の開先が中に入るほど広がる逆レ形開先で局部スロット（溝）溶接、又は全周スロット（溝）溶接適用、（ヘ）は鋼管柱の開先が中に入るほど広がる逆Ｙ形開先で局部スロット（溝）溶接、又は全周スロット（溝）溶接適用。（ト）は鋼管柱の開先が中に入るほど狭くなる逆レ形開先で局部スロット（溝）溶接、又は全周スロット（溝）溶接適用。
【図２９】柱梁接合部内にセットされた四隅又は中央又はその両方に貫通孔を設けたＨ形鋼フランジ又はダイアフラムの上面図。（イ）は局部スロット溶接の場合で、（ロ）は全周スロット溶接の場合である。（ハ）は全周スロット溶接の場合で、ダイアフラムの４隅の貫通孔はダイアフラムの外周と連続して切断できる一筆書きの貫通孔である。中央に別途孔を開けることもできる。
【図３０】内ダイアフラム及びスティフナーと鋼管柱とを溝溶接し、梁フランジを溝溶接部に重ねて溶接し、梁ウエブを鋼管柱にすみ肉溶接した横断面上面図
【図３１】柱梁接合部内にセットされたＨ形鋼フランジのスティフナーの水平長さをコラム径の約半分にして梁側にスロット溶接する断面図（上面図）
【図３２】Ｈ形鋼フランジとウエブを溶接組立し鋼管柱内に設置したＨ形鋼を、鋼管柱と溝溶接し、梁フランジをその裏面に肉盛溶接して溝溶接部に重ねて溶接し、梁ウエブを鋼管柱にすみ肉溶接した横断面図（イ）は、鋼管柱内Ｈ形鋼ウエブと鋼管柱とのスロット（溝）溶接がない場合で、（ロ）は、鋼管柱内Ｈ形鋼ウエブと鋼管柱とのスロット（溝）溶接を実施した場合である。
【図３３】Ｈ形鋼フランジ又は内ダイアフラムと梁フランジ直結の柱梁接合部で、Ｈ形鋼フランジ又は内ダイアフラムの端部に裏当金を取付け、梁フランジの裏面に肉盛溶接を施した場合の縦断面図
【図３４】せい及び方向の異なる２つ以上の梁が鋼管柱に溶接される場合の柱梁接合部断面図。下段内ダイアフラムの溶接箇所８カ所を４カ所に減らしている。図中Ｈ１及びＨ２は、異なる方向の梁のそれぞれの高さの異なるせいを示す。
【図３５】せい及び方向の異なる２つ以上の梁が鋼管柱に溝溶接される場合の柱梁接合部外観図。下段内ダイアフラムの溶接箇所８カ所を４カ所に減らしている。図中Ｈ１及びＨ２は、異なる方向の梁のそれぞれの高さの異なるせいを示す。
【図３６】せい及び方向の異なる２つ以上の梁が鋼管柱に全周溝溶接される場合の柱梁接合部断面図。下段内ダイアフラムの溶接箇所８カ所を４カ所に減らしている。図中Ｈ１及びＨ２は、異なる方向の梁のそれぞれの高さの異なるせいを示す。
【図３７】せい及び方向の異なる２つ以上の梁が鋼管柱に全周溝溶接される場合の柱梁接合部外観図。下段内ダイアフラムの溶接箇所８カ所を４カ所に減らしている。
【図３８】（イ）は、ダイアフラム鋼管柱内にセットして、鋼管柱とダイアフラムを接合する場合の断面図。（ロ）は、サイコロを鋼管柱内にセットして、鋼管柱と中実のサイコロを接合する場合の断面図。
【図３９】Ｈ形鋼同士の従来方法による接合。
【図４０】２つのＨ形鋼の内ダイアフラムを用いた接合。（イ）は直線的に繋ぐ場合で、（ロ）は曲がった梁を繋ぐ場合である。
【図４１】Ｈ形鋼又は鋼管柱とＨ形鋼梁の仕口部を内ダイアフラムで施工し、裏当金を用いずに品質とＨ形鋼梁を溶接接合した場合である。
【符号の説明】
【００５９】
１  建築鉄骨柱梁接合部のダイアフラム
１Ａ  建築鉄骨柱梁接合部のＨ形鋼フランジ
１Ｔ  建築鉄骨柱梁接合部の厚板の内ダイアフラム
１Ｕ  建築鉄骨柱梁接合部の薄板の内ダイアフラム
２  ダイアフラム間の鋼管の短管。１と２から構成される部材をサイコロという。
３  Ｈ形鋼梁
３Ａ  異なった方向から柱に接合されるＨ形鋼梁
４  Ｈ形鋼梁フランジ
４Ａ  Ｈ形鋼梁フランジ端部断面
４Ｅ  梁端側面に施工した肉盛溶接
５  鋼管による柱
５Ｗ  鋼管による柱とＨ形鋼ウエブ又はスティフナーを取り付ける溝溶接部又はスロット溶接部
５Ｈ  Ｈ形鋼による柱
６  鋼管とダイアフラムとの溶接
７  梁フランジとダイアフラムとの溶接
８  仮付又は組立溶接
９  Ｈ形鋼梁ウエブ
１０  裏当金
１１  スカラップ
１２  非消耗式当て金（銅など）
１２Ｐ  非消耗式当て金（銅など）の突起
１３  梁フランジ又は鋼管などの部材
１３Ｃ  部材１３の開先切断位置
１４  部材裏面又は表面に施工された肉盛溶接
１５  肉盛溶接部１４及び母材を含めた開先面
１６  相手部材
１７  継手溶接
１８  部材１３の板厚又は肉厚
１９  部材１６と１３の溶接部の実効のど厚
２０  梁フランジ側面・上面又は裏面の肉盛溶接
２１  梁応力集中部
２２  鋼管による柱と内ダイアフラム又はＨ形鋼フランジを取り付ける溝溶接又はスロット溶接部
２２Ａ追加肉盛
２３  鋼管とＨ形鋼梁ウエブとの溶接
２４  Ｈ形鋼フランジ又は内ダイアフラムの中央に開けた貫通孔
２４Ａ  Ｈ形鋼フランジ又は内ダイアフラムの角部に開けた貫通孔
２５  柱内Ｈ形鋼ウエブ
２５Ａ  スティフナー
２６  フランジと柱内Ｈ形鋼ウエブとを接合するすみ肉溶接又は突合せ溶接
２７  鋼管側面に明けた貫通長孔即ちスロット。
２７Ａ  ガス切断、プラズマ切断、レーザ切断により加工した貫通長孔の中央辺
２７Ｂ  鋼管側面に明けた貫通長孔即ちスロットの端部に開けた錐孔
２７Ｃ  鋼管側面に明けた全周貫通長孔即ち全周スロット
２８  薄鋼板
２９  全周貫通溝における広幅溝端部の円弧又は楕円弧
３０  Ｈ形鋼フランジ又はダイアフラムを鋼管柱内にセットする際に、位置決めの為に用いるストッパー。ストッパーは鋼管内に仮付溶接される。
３１  初層ルート溶接
３２  柱梁接合部に用いる中実のサイコロ
３３  仮付溶接
３４  Ｈ形鋼間に挿入されるダイアフラム
３５  Ｈ形鋼とダイアフラムとの間で施工されるスロット（溝）溶接
３６  すみ肉溶接
【図１】
2007002658.tif 000003
【図２】
2007002658.tif 000004
【図３】
2007002658.tif 000005
【図４】
2007002658.tif 000006
【図５】
2007002658.tif 000007
【図６】
2007002658.tif 000008
【図７】
2007002658.tif 000009
【図８】
2007002658.tif 000010
【図９】
2007002658.tif 000011
【図１０】
2007002658.tif 000012
【図１１】
2007002658.tif 000013
【図１２】
2007002658.tif 000014
【図１３】
2007002658.tif 000015
【図１４】
2007002658.tif 000016
【図１５】
2007002658.tif 000017
【図１６】
2007002658.tif 000018
【図１７】
2007002658.tif 000019
【図１８】
2007002658.tif 000020
【図１９】
2007002658.tif 000021
【図２０】
2007002658.tif 000022
【図２１】
2007002658.tif 000023
【図２２】
2007002658.tif 000024
【図２３】
2007002658.tif 000025
【図２４】
2007002658.tif 000026
【図２５】
2007002658.tif 000027
【図２６】
2007002658.tif 000028
【図２７】
2007002658.tif 000029
【図２８】
2007002658.tif 000030
【図２９】
2007002658.tif 000031
【図３０】
2007002658.tif 000032
【図３１】
2007002658.tif 000033
【図３２】
2007002658.tif 000034
【図３３】
2007002658.tif 000035
【図３４】
2007002658.tif 000036
【図３５】
2007002658.tif 000037
【図３６】
2007002658.tif 000038
【図３７】
2007002658.tif 000039
【図３８】
2007002658.tif 000040
【図３９】
2007002658.tif 000041
【図４０】
2007002658.tif 000042
【図４１】
2007002658.tif 000043